(57)【要約】【課題】指先を傷めるおそれがなく、しかも、簡単な構造で、発射速度が大きく、命中精度に優れた輪ゴム飛ばし用具を提供する。【解決手段】輪ゴム飛ばし用具１０は、細長の棒状体からなる把柄部１と、この把柄部１に連なる頚部２と、この頚部２に連なる頭部３と、頚部２に形成された窪みからなる親指当て部４と、頭部３の先端に形成された溝からなる輪ゴム掛け部５と、を備えて構成される。この輪ゴム飛ばし用具１０は射出成型等により一体成型された樹脂（好ましくは硬質樹脂）で形成することができる。【選択図】図１
0003227304.tif 000002
【実用新案登録請求の範囲】
【請求項１】
把柄部と、
前記把柄部に連なる頚部と、
前記頚部に連なる頭部と、
前記頚部に形成された窪みからなる親指当て部と、
前記頭部の先端に形成された溝からなる輪ゴム掛け部と、を備えることを特徴とする輪ゴム飛ばし用具。
【請求項２】
前記把柄部、前記頚部及び前記頭部は全体として湾曲していることを特徴とする請求項１に記載の輪ゴム飛ばし用具。
【請求項３】
前記頭部は凸湾曲形状部を有していることを特徴とする請求項１または２に記載の輪ゴム飛ばし用具。
【考案の詳細な説明】
【技術分野】
【０００１】
本考案は、輪ゴム飛ばし用具に関する。
【背景技術】
【０００２】
従来より、輪ゴムを標的に目掛けて飛ばすゲームが知られている。以下、このゲームを輪ゴム飛しゲームと称する。輪ゴムを飛ばす用具としては、例えば、指鉄砲がよく知られている。これは例えば、左手の親指の指先に輪ゴムを掛け、右手の人差し指と親指で輪ゴムを挟んで引っ張り、右手で挟んだ輪ゴムを解放することで、輪ゴムを飛ばすものである。
【０００３】
また、他の輪ゴム飛ばし用具として、特許文献１には、銃身ユニット、引き金ユニットとグリップユニットとを含む割り箸鉄砲が記載されている。
【先行技術文献】
【特許文献】
【０００４】
【特許文献１】実用新案登録第３２２０８６８号公報
【考案の概要】
【考案が解決しようとする課題】
【０００５】
しかしながら、指鉄砲では、指先（特に、爪先）を傷めるおそれがある。また、割り箸鉄砲では構造が複雑な上に、発射速度、命中精度が十分でないという問題があった。
【課題を解決するための手段】
【０００６】
本考案による輪ゴム飛ばし用具は、把柄部と、前記把柄部に連なる頚部と、前記頚部に連なる頭部と、前記頚部に形成された窪みからなる親指当て部と、前記頭部の先端に形成された溝からなる輪ゴム掛け部と、を備えることを特徴とする。
【考案の効果】
【０００７】
本考案によれば、指先を傷めるおそれがなく、しかも、簡単な構造で、発射速度が大きく、命中精度に優れた輪ゴム飛ばし用具を提供することができる。
【図面の簡単な説明】
【０００８】
【図１】本考案の実施形態における輪ゴム飛ばし用具の側面図である。
【図２】本考案の実施形態における輪ゴム飛ばし用具の正面図である。
【図３】本考案の実施形態における輪ゴム飛ばし用具の背面図である。
【図４】本考案の実施形態における輪ゴム飛ばし用具の使用状態を示す斜視図である。
【図５】本考案の実施形態における輪ゴム飛ばしゲームの標的装置を示す図である。
【考案を実施するための形態】
【０００９】
次に、本考案の実施形態における輪ゴム飛ばし用具１０を図１〜図３に基づいて説明する。
【００１０】
図示のように、輪ゴム飛ばし用具１０は、細長の棒状体からなる把柄部１と、この把柄部１に連なる頚部２と、この頚部２に連なる頭部３と、頚部２に形成された窪みからなる親指当て部４と、頭部３の先端に形成された溝からなる輪ゴム掛け部５と、を備えて構成される。この場合、輪ゴム掛け部５（溝）は頭部３の先端幅方向（頭部３の長手方向に対して直角方向）に頭部３の先端を横断するように形成されていることが好ましい。
【００１１】
この輪ゴム飛ばし用具１０は射出成型等により一体成型された樹脂、好ましくは硬質樹脂で形成することができる。なお、輪ゴム飛ばし用具１０は正面及び背面から見ると左右対称になっている。図２及び図３は若干斜め方向から見た図なので、若干歪んだ形状になっている。
【００１２】
把柄部１、頚部２及び頭部３は全体として背側が凸湾曲形状となるように湾曲していることが好ましい。これは、手指で握り易くすることに加え、輪ゴムを輪ゴム飛ばし用具１０の本体と接触、干渉することなく、頭部３の先端から飛ばすためである。この場合、把柄部１、頚部２及び頭部３の腹側は、逆に凹湾曲形状となるように湾曲している。
【００１３】
また、特に、飛び出す輪ゴムと頭部３との接触、干渉をなくすために頭部３は背側に凸湾曲形状部３ａを有していることが好ましい。
【００１４】
次に、この輪ゴム飛ばし用具１０の使用状態を図４に基づいて説明する。図示のように、輪ゴム飛ばし用具１０を左手で持って、親指当て部４に親指６の腹部を当て、把柄部１を残りの四本指で握る。そして、輪ゴム７を輪ゴム掛け部５に掛けて、右手の人差し指と親指で輪ゴム７を挟んで大きく引っ張り、右手で挟んだ輪ゴム７を解放することで、輪ゴム７を頭部３の先端から飛ばす。
【００１５】
この輪ゴム飛ばし用具１０によれば、輪ゴム７は輪ゴム掛け部５に掛けられるので人の指先を傷めるおそれがない。しかも、親指当て部４を設けたことで輪ゴム飛ばし用具１０を片手で安定保持することができ、簡単な構造で、輪ゴム７の発射速度を大きくし、命中精度を向上させることができる。
【００１６】
次に、輪ゴム飛ばし用具１０の標的となる輪ゴム飛ばし用標的装置１００の一例を図５に基づいて説明する。
【００１７】
図示のように、角底を有する箱体１１の前板１１ａの内側に５個の標的１２ａ〜１２ｅが並設されている。標的１２ａ〜１２ｅは、円盤状の標的本体１３ａ〜１３と、各標的本体１３ａ〜１３ｅの裏面に接合された扁平板状の支柱１４ａ〜１４ｅとから構成されている。
【００１８】
標的本体１３ａ〜１３ｂの表面中央には円形の的が描かれている。また、ゲーム性を高めるために、支柱１４ｂ，１４ｄの長さは支柱１４ａ，１４ｃ，１４ｅよりも短く形成され、これにより起立状態の標的１２ａ〜１２ｅは交互に背の高低差がつけられている。この場合、標的１２ａ，１２ｃ，１２ｅは背高の標的、標的１２ｂ，１２ｄは背低の標的である。
【００１９】
標的１２ａ〜１２ｅは紙類や発泡スチロールのような軽量素材で形成しても、輪ゴム７による衝撃は弾丸等に比べて小さいことから破損が少ないものである。標的１２ａ〜１２ｅの個数は５個に限らず、適宜増減してもよい。また、標的本体１３ａ〜１３ｅは輪ゴム７の標的であることを考慮すると直径１０ｃｍ程度の円形を有していることが好ましい。また、箱体１１の前板１１ａには標的１２ａ〜１２ｅに対応した標識として、例えば番号１〜５が表示されている。標的１２ａ〜１２ｅは、輪ゴム７が命中すると後方に転倒するようになっている。
【符号の説明】
【００２０】
１  把柄部
２  頚部
３  頭部
３ａ  凸湾曲形状部
４  親指当て部
５  輪ゴム掛け部
６  親指
７  輪ゴム
１０  輪ゴム飛ばし用具
１１  箱体
１１ａ  前板
１２ａ〜１２ｅ  標的
１３ａ〜１３ｅ  標的本体
１４ａ〜１４ｅ  支柱
１００  輪ゴム飛ばし用標的装置
【図１】
0003227304.tif 000003
【図２】
0003227304.tif 000004
【図３】
0003227304.tif 000005
【図４】
0003227304.tif 000006
【図５】
0003227304.tif 000007